(57)【特許請求の範囲】
【請求項１】
無線基地局の設定内容を示す無線基地局情報を記憶する記憶部を具備する測位装置が、前記記憶部に記憶された前記無線基地局情報に基づいて、前記無線基地局が形成するセル内に在圏するユーザ端末の測位処理を行う移動通信方法であって、
移動管理装置が、自装置配下に無線基地局が新たに設置されたこと、或いは、自装置配下の無線基地局の設定内容が変更されたことを検出した場合に、前記測位装置に対して、該無線基地局の無線基地局情報の更新通知信号を送信する工程と、
前記測位装置が、前記移動管理装置からの前記更新通知信号に応じて、前記移動管理装置配下の前記無線基地局に対して、前記無線基地局情報の送信を要求する送信要求信号を送信する工程と、
前記測位装置が、前記送信要求信号に応じて前記無線基地局から送信された前記無線基地局情報を取得する工程と、
前記測位装置が、前記取得された無線基地局情報を反映するように前記記憶部に記憶された前記無線基地局情報を更新する工程と、
前記更新通知信号を送信する工程において、前記移動管理装置が、前記無線基地局の種別に基づいて前記更新通知信号を送信するか否かを判断し、判断結果に応じて前記更新通知信号を前記測位装置に送信することを特徴とする移動通信方法。
【請求項２】
前記更新通知信号を送信する工程において、前記移動管理装置は、前記無線基地局の種別がフェムト基地局である場合、前記更新通知信号を前記測位装置に送信することを特徴とする請求項１に記載の移動通信方法。
【請求項３】
前記更新通知信号を送信する工程において、前記移動管理装置は、前記無線基地局の種別がフェムト基地局ではない場合、前記更新通知信号の前記測位装置への送信を中止することを特徴とする請求項１又は２に記載の移動通信方法。
【請求項４】
移動管理装置が、自装置配下の無線基地局から、前記測位装置からの測位関連信号に対する応答信号とともに該無線基地局の無線基地局情報の更新通知信号を受信した場合、前記更新通知信号を送信する工程において、前記移動管理装置は、前記測位装置に対して、該応答信号と該更新通知信号を送信することを特徴とする請求項１乃至３のいずれか一項に記載の移動通信方法。
【請求項５】
前記無線基地局情報は、前記無線基地局のセル識別子、緯度、経度、チルト角、誤差半径の少なくとも一つを含むことを特徴とする請求項１乃至４のいずれか一項に記載の移動通信方法。
【請求項６】
無線基地局の設定内容を示す無線基地局情報を記憶する記憶部と、前記記憶部に記憶された前記無線基地局情報に基づいて、前記無線基地局が形成するセル内に在圏するユーザ端末の測位処理を行う測位処理部と、を具備する測位装置であって、
移動管理装置配下に無線基地局が新たに設置されたこと、或いは、前記移動管理装置配下の無線基地局の設定内容が変更されたことが検出された場合、前記移動管理装置から、前記無線基地局の無線基地局情報の更新通知信号を受信する受信部と、
前記移動管理装置からの前記更新通知信号に応じて、前記無線基地局に対して、前記無線基地局情報の送信を要求する送信要求信号を送信する送信部と、
前記送信要求信号に応じて前記無線基地局から送信された前記無線基地局情報を取得する取得部と、
前記取得された無線基地局情報を反映するように前記記憶部に記憶された前記無線基地局情報を更新する更新部と、を具備し、
前記更新通知信号は、前記移動管理装置において前記無線基地局の種別に基づいて前記測位装置に送信するか否かが判断され、判断結果に基づいて前記移動管理装置から前記測位装置に送信されることを特徴とする測位装置。
【請求項７】
前記更新通知信号は、前記無線基地局の種別がフェムト基地局である場合、前記移動管理装置から前記測位装置に送信されることを特徴とする請求項６に記載の測位装置。
【請求項８】
前記更新通知信号は、前記無線基地局の種別がフェムト基地局ではない場合、前記移動管理装置において前記測位装置への送信が中止されることを特徴とする請求項６又は７に記載の測位装置。
【請求項９】
前記移動管理装置において、前記無線基地局から、前記測位装置からの測位関連信号に対する応答信号とともに該無線基地局の無線基地局情報の更新通知信号が受信される場合、前記受信部は、前記移動管理装置から、前記応答信号と前記更新通知信号とを受信することを特徴とする請求項６乃至８のいずれか一項に記載の測位装置。
【請求項１０】
前記無線基地局情報は、前記無線基地局のセル識別子、緯度、経度、チルト角、誤差半径の少なくとも一つを含むことを特徴とする請求項６乃至９のいずれか一項に記載の測位装置。
【請求項１１】
無線基地局情報を記憶する記憶部を具備する測位装置が、前記記憶部に記憶された前記無線基地局情報に基づいて、ユーザ端末の測位処理を行う移動通信システム内の無線基地局であって、
前記無線基地局が新たに設置されたこと或いは設定内容が変更されたことが検出された場合、移動管理装置に対して、前記無線基地局の設定内容を示す無線基地局情報の更新通知信号を送信し、
前記無線基地局情報の送信を要求する送信要求信号に応じて、前記測位装置に対して、前記無線基地局情報を送信し、
前記更新通知信号は、前記移動管理装置において前記無線基地局の種別に基づいて前記測位装置に送信するか否かが判断され、判断結果に基づいて前記移動管理装置から前記測位装置に送信され、前記送信要求信号は、前記移動管理装置からの前記更新通知信号に応じて、前記測位装置から前記無線基地局に送信されることを特徴とする無線基地局。
【請求項１２】
前記更新通知信号は、前記無線基地局の種別がフェムト基地局である場合、前記移動管理装置から前記測位装置に送信されることを特徴とする請求項１１に記載の無線基地局。
【請求項１３】
前記更新通知信号は、前記無線基地局の種別がフェムト基地局ではない場合、前記移動管理装置において前記測位装置への送信が中止されることを特徴とする請求項１１又は１２に記載の無線基地局。
【請求項１４】
前記移動管理装置において、前記無線基地局から、前記測位装置からの測位関連信号に対する応答信号とともに該無線基地局の無線基地局情報の更新通知信号が受信される場合、前記受信部は、前記応答信号と前記更新通知信号を受信することを特徴とする請求項１１乃至１３のいずれか一項に記載の無線基地局。
【請求項１５】
前記無線基地局情報は、前記無線基地局のセル識別子、緯度、経度、チルト角、誤差半径の少なくとも一つを含むことを特徴とする請求項１１乃至１４のいずれか一項に記載の無線基地局。
【発明の詳細な説明】
【技術分野】
【０００１】
本発明は、無線基地局の設定内容を示す無線基地局情報に基づいて、前記無線基地局が形成するセル内に在圏するユーザ端末の測位処理を行う移動通信方法、測位装置及び無線基地局に関する。
【背景技術】
【０００２】
３ＧＰＰでは、携帯電話端末などのユーザ端末の測位を行い、該ユーザ端末の位置情報を提供するＬＣＳ（Ｌｏｃａｔｉｏｎ  Ｓｅｒｖｉｃｅ）を実現する移動通信システムが検討されている（例えば、非特許文献１）。
【０００３】
かかるＬＣＳでは、Ｅ−ＳＭＬＣ（Ｅｖｏｌｖｅｄ  Ｓｅｒｖｉｎｇ  Ｍｏｂｉｌｅ  Ｌｏｃａｔｉｏｎ  Ｃｅｎｔｒｅ）が、無線基地局の設定内容を示す無線基地局情報（例えば、無線基地局の緯度・経度、チルト角など）を保持しており、当該無線基地局情報を利用して、セルベースでのユーザ端末の測位処理を行う。
【先行技術文献】
【非特許文献】
【０００４】
【非特許文献１】３ＧＰＰ  ＴＳ２３．２７１
【発明の概要】
【発明が解決しようとする課題】
【０００５】
ところで、近年では、屋内など無線品質が悪化し易いスポット向けに、フェムト基地局などの無線基地局を新たに設置する場合も多くなっている。また、無線基地局の新たな設置に伴い、既存の無線基地局の設定内容を変更する機会も多くなっている。このため、Ｅ−ＳＭＬＣが、新たに設置された或いは設定内容が変更された無線基地局から無線基地局情報を容易に取得できる仕組みが望まれていた。
【０００６】
本発明は、かかる点に鑑みてなされたものであり、新たに設置された或いは設定内容が変更された無線基地局から無線基地局情報を容易に取得可能な移動通信方法、測位装置及び無線基地局を提供することを目的とする。
【課題を解決するための手段】
【０００７】
本発明の第１側面に係る移動通信方法は、無線基地局の設定内容を示す無線基地局情報を記憶する記憶部を具備する測位装置が、前記記憶部に記憶された前記無線基地局情報に基づいて、前記無線基地局が形成するセル内に在圏するユーザ端末の測位処理を行う移動通信方法であって、移動管理装置が、自装置配下に無線基地局が新たに設置されたこと、或いは、自装置配下の無線基地局の設定内容が変更されたことを検出した場合に、前記測位装置に対して、該無線基地局の無線基地局情報の更新通知信号を送信する工程と、前記測位装置が、前記移動管理装置からの前記更新通知信号に応じて、前記移動管理装置配下の前記無線基地局に対して、前記無線基地局情報の送信を要求する送信要求信号を送信する工程と、前記測位装置が、前記送信要求信号に応じて前記無線基地局から送信された前記無線基地局情報を取得する工程と、前記測位装置が、前記取得された無線基地局情報を反映するように前記記憶部に記憶された前記無線基地局情報を更新する工程と、前記更新通知信号を送信する工程において、前記移動管理装置が、前記無線基地局の種別に基づいて前記更新通知信号を送信するか否かを判断し、判断結果に応じて前記更新通知信号を前記測位装置に送信することを特徴とする。
【０００８】
この構成によれば、測位装置は、新たに設置された或いは設定内容が変更された無線基地局から容易に無線基地局情報を取得でき、取得した無線基地局情報に基づいて記憶部に記憶された無線基地局情報を更新できる。したがって、測位装置は、記憶部に記憶される無線基地局情報を最新に保つことができ、かかる無線基地局情報に基づいて行われるユーザ端末の測位処理をより正確に行うことができる。
【０００９】
本発明の第２側面に係る測位装置は、無線基地局の設定内容を示す無線基地局情報を記憶する記憶部と、前記記憶部に記憶された前記無線基地局情報に基づいて、前記無線基地局が形成するセル内に在圏するユーザ端末の測位処理を行う測位処理部と、を具備する測位装置であって、移動管理装置配下に無線基地局が新たに設置されたこと、或いは、前記移動管理装置配下の無線基地局の設定内容が変更されたことが検出された場合、前記移動管理装置から、前記無線基地局の無線基地局情報の更新通知信号を受信する受信部と、前記移動管理装置からの前記更新通知信号に応じて、前記無線基地局に対して、前記無線基地局情報の送信を要求する送信要求信号を送信する送信部と、前記送信要求信号に応じて前記無線基地局から送信された前記無線基地局情報を取得する取得部と、前記取得された無線基地局情報を反映するように前記記憶部に記憶された前記無線基地局情報を更新する更新部と、を具備し、前記更新通知信号は、前記移動管理装置において前記無線基地局の種別に基づいて前記測位装置に送信するか否かが判断され、判断結果に基づいて前記移動管理装置から前記測位装置に送信されることを特徴とする。
【００１０】
本発明の第３側面に係る無線基地局は、無線基地局情報を記憶する記憶部を具備する測位装置が、前記記憶部に記憶された前記無線基地局情報に基づいて、ユーザ端末の測位処理を行う移動通信システム内の無線基地局であって、前記無線基地局が新たに設置されたこと或いは設定内容が変更されたことが検出された場合、移動管理装置に対して、前記無線基地局の設定内容を示す無線基地局情報の更新通知信号を送信し、前記無線基地局情報の送信を要求する送信要求信号に応じて、前記測位装置に対して、前記無線基地局情報を送信し、前記更新通知信号は、前記移動管理装置において前記無線基地局の種別に基づいて前記測位装置に送信するか否かが判断され、判断結果に基づいて前記移動管理装置から前記測位装置に送信され、前記送信要求信号は、前記移動管理装置からの前記更新通知信号に応じて、前記測位装置から前記無線基地局に送信されることを特徴とする。
【発明の効果】
【００１１】
本発明によれば、新たに設置された或いは設定内容が変更された無線基地局から無線基地局情報を容易に取得可能な移動通信方法、測位装置及び無線基地局を提供することができる。
【図面の簡単な説明】
【００１２】
【図１】第１の実施形態に係る移動通信システムの概略構成図である。
【図２】第１の実施形態に係るＥ−ＳＭＬＣの機能構成図である。
【図３】第１の実施形態に係るｅＮＢ情報の取得動作を示す概略図である。
【図４】第１の実施形態に係るｅＮＢ情報の第１の取得動作を示すシーケンス図である。
【図５】第１の実施形態に係るｅＮＢ情報の第２の取得動作を示すシーケンス図である。
【図６】変更例１に係るｅＮＢ情報の取得動作を示すシーケンス図である。
【図７】変更例２に係るｅＮＢ情報の取得動作を示すシーケンス図である。
【図８】第２の実施形態に係るｅＮＢ情報の取得動作を示す概略図である。
【図９】第２の実施形態に係るｅＮＢ情報の第１の取得動作を示すシーケンス図である。
【図１０】第２の実施形態に係るｅＮＢ情報の第２の取得動作を示すシーケンス図である。
【発明を実施するための形態】
【００１３】
以下、本発明の実施の形態について図面を参照して詳細に説明する。
【００１４】
［第１の実施形態］
＜移動通信システムの概略構成＞
図１は、第１の実施形態に係る移動通信システムの概略構成図である。図１に示すように、第１の実施形態に係る移動通信システムは、ＵＥ（Ｕｓｅｒ  Ｅｑｕｉｐｍｅｎｔ）１０と、ｅＮＢ（ｅＮｏｄｅＢ）２０と、ＭＭＥ（Ｍｏｂｉｌｉｔｙ  Ｍａｎａｇｅｍｅｎｔ  Ｅｎｔｉｔｙ）３０と、Ｅ−ＳＭＬＣ（Ｅｖｏｌｖｅｄ  Ｓｅｒｖｉｎｇ  Ｍｏｂｉｌｅ  Ｌｏｃａｔｉｏｎ  Ｃｅｎｔｒｅ）４０と、ＧＭＬＣ（Ｇａｔｅｗａｙ  Ｍｏｂｉｌｅ  Ｌｏｃａｔｉｏｎ  Ｃｅｎｔｒｅ）５０と、ＬＣＳ（Ｌｏｃａｔｉｏｎ  Ｓｅｒｖｉｃｅ）クライアント６０と、から構成される。
【００１５】
ＵＥ１０は、例えば、携帯電話端末、ノートパソコンなどのユーザ端末である。
【００１６】
ｅＮＢ２０は、セルを形成し、形成したセル内に在圏するＵＥ１０と無線通信を行う無線基地局である。ｅＮＢ２０は、半径数キロメートルのマクロセルを形成する無線基地局であってもよいし、半径数百メートルのマイクロセルを形成する無線基地局であってもよいし、半径１０メートル程度のフェムトセルを形成するフェムト基地局のいずれであってもよい。また、ｅＮＢ２０はＬＣＳクライアント６０機能を具備してもよい。
【００１７】
ＭＭＥ３０は、ｅＮＢ２０と後述するＥ−ＳＭＬＣ４０との間の信号転送機能や、ＧＭＬＣ５０からの測位要求に応じて、Ｅ−ＳＭＬＣ４０に対して、ＵＥ１０の測位を要求し、ＵＥ１０の位置情報を取得する機能などを有する移動管理装置である。
【００１８】
Ｅ−ＳＭＬＣ４０は、自装置で保持するｅＮＢ２０のｅＮＢ情報（後述）に基づいて、セルベースで、ＵＥ１０の測位処理を行う測位装置である。Ｅ−ＳＭＬＣ４０は、ＬＰＰａ（ＬＴＥ  Ｐｏｓｉｔｉｏｎｉｎｇ  Ｐｒｏｔｏｃｏｌ  Ａｎｎｅｘ）を用いて、ｅＮＢ２０との間でセルベースの測位処理のための測位関連信号などを送受信する。
【００１９】
ＧＭＬＣ５０は、ＬＣＳクライアント６０からの測位要求に応じて、ＭＭＥ３０に対して、ＵＥ１０の測位を要求する機能、Ｅ−ＳＭＬＣ４０からＭＭＥ３０を介して取得したＵＥ１０の位置情報を、ＬＣＳクライアント６０に送信する機能を有するゲートウェイ装置である。
【００２０】
＜Ｅ−ＳＭＬＣの機能構成＞
図２は、第１の実施形態に係るＥ−ＳＭＬＣの機能構成図である。なお、Ｅ−ＳＭＬＣ４０は、通信インタフェース、プロセッサ、メモリ、送受信回路などを含むハードウェアを有しており、メモリには、プロセッサによって実行されるソフトウェアモジュールが記憶されている。下記のＥ−ＳＭＬＣ４０の機能構成は、上述のハードウェアによって実現されてもよいし、プロセッサによって実行されるソフトウェアモジュールによって実現されてもよいし、両者の組み合わせによって実現されてもよい。
【００２１】
図２に示すように、Ｅ−ＳＭＬＣ４０は、ｅＮＢ情報記憶部４１、ｅＮＢ情報取得部４２、ｅＮＢ情報更新部４３、測位処理部４４、送受信部４５を具備する。
【００２２】
ｅＮＢ情報記憶部４１（記憶部）は、ｅＮＢ２０のｅＮＢ情報を記憶する。ここで、ｅＮＢ情報（無線基地局情報）とは、ｅＮＢ２０の設定内容を示す情報であり、例えば、ｅＮＢ２０のセル識別子、緯度、経度、チルト角、誤差半径などの少なくとも一つを含む。
【００２３】
ｅＮＢ情報取得部４２（取得部）は、新たに設置された或いは設定内容が変更されたｅＮＢ２０からｅＮＢ情報を取得する。具体的には、ｅＮＢ情報取得部４２は、新たに設置された或いは設定内容が変更されたｅＮＢ２０に対してｅＮＢ情報の送信を要求し、当該要求に応じてｅＮＢ２０から送信されたｅＮＢ情報を取得する。なお、ｅＮＢ情報取得部４２は、ｅＮＢ２０から自発的に送信されたｅＮＢ情報を取得してもよい。
【００２４】
ｅＮＢ情報更新部４３（更新部）は、ｅＮＢ情報取得部４２によって取得されたｅＮＢ情報に基づいて、ｅＮＢ情報記憶部４１を更新する。具体的には、ｅＮＢ情報更新部４３は、ｅＮＢ情報取得部４２によって取得されたｅＮＢ情報を反映するようにｅＮＢ情報記憶部４１に記憶されたｅＮＢ情報を更新する。
【００２５】
測位処理部４４は、ｅＮＢ情報記憶部４１に記憶されたｅＮＢ２０のｅＮＢ情報に基づいて、ｅＮＢ２０のセル内に在圏するＵＥ１０の測位処理を行う。具体的には、測位処理部４４は、後述する送受信部４５で受信されたＧＭＬＣ５０からの測位要求に応じて、ｅＮＢ情報記憶部４１から、ＵＥ１０が在圏するｅＮＢ２０のｅＮＢ情報を取得し、取得したｅＮＢ情報（例えば、セル識別子、緯度、経度、チルト角、誤差半径などの少なくとも一つ）に基づいて、ＵＥ１０の位置情報を演算する。なお、かかるＵＥ１０の位置情報を演算において、ｅＮｏｄｅＢあるいはＵＥ１０等から取得したＵＥ１０の測位関連情報を利用してもよい。
【００２６】
送受信部４５（送信部、受信部）は、ＭＭＥ３０を介してｅＮＢ２０との間でＬＰＰａデータななどを送受信する。具体的には、送受信部４５は、新たに設置された或いは設定内容が変更されたｅＮＢ２０から送信されたｅＮＢ情報更新通知（更新通知信号）を受信する。ここで、ｅＮＢ情報更新通知とは、ｅＮＢ２０が新たに設置された場合にｅＮＢ情報が新たに設定されたことや、ｅＮＢ２０の設定内容が変更された場合にｅＮＢ情報が更新されたことを通知するものである。
【００２７】
また、送受信部４５は、ｅＮＢ情報取得部４２からの要求に応じて、新たに設置された或いは設定内容が変更されたｅＮＢ２０に対して、ｅＮＢ情報の送信を要求するｅＮＢ情報送信要求（送信要求信号）を送信する。
【００２８】
また、送受信部４５は、ＵＥ１０又はネットワーク装置（例えば、ＬＣＳクライアント６０）において測位イベントがあった場合に、ＭＭＥ３０からＵＥ１０の測位要求を受信し、当該測位要求に応じて測位処理部４４で演算されたＵＥ１０の位置情報をＭＭＥ３０に送信する。
【００２９】
＜移動通信システムの動作＞
次に、図３乃至図５を参照し、以上のように構成された第１の実施形態に係る移動通信システムにおけるｅＮＢ情報の取得動作について説明する。
【００３０】
図３は、第１の実施形態に係るｅＮＢ情報の取得動作を示す概略図である。第１の実施形態では、ｅＮＢ２０はＥ−ＳＭＬＣ４０の識別情報である「Ｅ−ＳＭＬＣ  ＩＤ」を保持していない。このため、図３に示すように、第１の実施形態では、ｅＮＢ２０は、ＭＭＥ３０に対して、ｅＮＢ情報が新たに設定又は更新されたことを示すｅＮＢ情報更新通知を送信する。ＭＭＥ３０は、ＭＭＥ３０が指定するＥ−ＳＭＬＣ４０に対して、ｅＮＢ２０からのｅＮＢ情報更新通知を転送する。Ｅ−ＳＭＬＣ４０は、ＭＭＥ３０からのｅＮＢ情報更新通知に応じて、ｅＮＢ２０との間でｅＮＢ情報の取得手順を実施する。
【００３１】
以下、図４及び図５を参照し、第１の実施形態に係るｅＮＢ情報の取得動作についてより詳細に説明する。なお、図３乃至図５において、同じ符号は、同じステップを示すものとする。
【００３２】
図４は、新たに設置されたｅＮＢ２０からのｅＮＢ情報の取得動作を示すシーケンス図である。図４に示すように、ｅＮＢ２０が新たに設置された場合、ｅＮＢ２０において、自局の経度、緯度、チルト角の少なくとも一つを含むｅＮＢ情報が新たに設定される（ステップＳ１０１）。
【００３３】
ｅＮＢ２０は、ＭＭＥ３０に対して、ｅＮＢ情報が新たに設定されたことを通知するｅＮＢ情報更新通知を送信する（ステップＳ１０２）。例えば、ｅＮＢ２０は、ｅＮＢ２０が新たに設置されたことを示す「Ｓｅｔｕｐ  Ｒｅｑｕｅｓｔ」により、ＭＭＥ３０に対して上記ｅＮＢ情報更新通知を送信してもよい。なお、「Ｓｅｔｕｐ  Ｒｅｑｕｅｓｔ」には、ｅＮＢ２０の識別情報である「Ｇｌｏｂａｌ  ｅＮＢ  ＩＤ」が含まれる。
【００３４】
ＭＭＥ３０は、ｅＮＢ２０からのｅＮＢ情報更新通知に応じて、ｅＮＢ２０が自装置に新たに接続されたことを検出する（ステップＳ１０３）。
【００３５】
ＭＭＥ３０は、ｅＮＢ２０に対して、「Ｓｅｔｕｐ  Ｒｅｑｕｅｓｔ」に応じて「Ｓｅｔｕｐ  Ｒｅｓｐｏｎｓｅ」を送信する（ステップＳ１０４）。
【００３６】
ＭＭＥ３０は、Ｅ−ＳＭＬＣ４０に対して、ｅＮＢ２０から受信したｅＮＢ情報更新通知を転送する（ステップＳ１０５）。例えば、ｅＮＢ２０は、「Ｇｌｏｂａｌ  ｅＮＢ  ＩＤ」を含む「ｅＮｏｄｅＢ  Ｃｏｎｆｉｇｕｒａｔｉｏｎ  Ｄａｔａ  Ｕｐｄａｔｅ」を用いて、Ｅ−ＳＭＬＣ４０に対して上記ｅＮＢ情報更新通知を転送してもよい。なお、ＭＭＥ３０は、ｅＮＢ２０の種別を示すｅＮＢ種別に応じて、Ｅ−ＳＭＬＣ４０に対して、ｅＮＢ２０から受信したｅＮＢ情報更新通知を転送してもよい。例えば、ＭＭＥ３０は、ｅＮＢ情報更新通知に係るｅＮＢ２０のｅＮＢ種別がフェムト基地局である場合、ｅＮＢ情報更新通知を転送し、当該ｅＮＢ種別がフェムト基地局ではない場合は、ｅＮＢ情報更新通知の転送を中止してもよい。
【００３７】
Ｅ−ＳＭＬＣ４０は、ＭＭＥ３０からのｅＮＢ情報更新通知に応じて、ｅＮＢ情報の取得処理を開始する（ステップＳ１０６）。なお、Ｅ−ＳＭＬＣ４０は、ｅＮＢ２０のｅＮＢ種別に応じて、ｅＮＢ情報の取得処理を開始してもよい。例えば、Ｅ−ＳＭＬＣ４０は、ｅＮＢ情報更新通知に係るｅＮＢ２０のｅＮＢ種別がフェムト基地局である場合、当該ｅＮＢ２０のｅＮＢ情報の取得処理を開始し、当該ｅＮＢ種別がフェムト基地局ではない場合は、当該ｅＮＢ２０のｅＮＢ情報の取得処理を中止してもよい。
【００３８】
Ｅ−ＳＭＬＣ４０は、ｅＮＢ２０にｅＮＢ情報の送信を要求するｅＮＢ情報送信要求を、ＭＭＥ３０に対して送信する（ステップＳ１０７）。例えば、Ｅ−ＳＭＬＣ４０は、「Ｃｏｎｎｅｃｔｉｏｎｌｅｓｓ  Ｉｎｆｏｒｍａｔｉｏｎ  Ｍｅｓｓａｇｅ」を用いて、ＭＭＥ３０に対してｅＮＢ情報送信要求を送信してもよい。かかる場合、「Ｃｏｎｎｅｃｔｉｏｎｌｅｓｓ  Ｉｎｆｏｒｍａｔｉｏｎ  Ｍｅｓｓａｇｅ」には、ｅＮＢ２０を識別する「Ｇｌｏｂａｌ  ｅＮＢ  ＩＤ」と、上記ｅＮＢ情報送信要求が設定されたＬＰＰａメッセージが含まれる。
【００３９】
ＭＭＥ３０は、Ｅ−ＳＭＬＣ４０から受信したｅＮＢ情報送信要求をｅＮＢ２０に転送する（ステップＳ１０８）。例えば、Ｅ−ＳＭＬＣ４０は、「Ｄｏｗｎｌｉｎｋ  ｎｏｎ  ＵＥ  ａｓｓｏｃｉａｔｅｄ  ＬＰＰａ  Ｔｒａｎｓｐｏｒｔ」を用いて、ｅＮＢ２０に対してｅＮＢ情報送信要求を転送してもよい。かかる場合、「Ｄｏｗｎｌｉｎｋ  ｎｏｎ  ＵＥ  ａｓｓｏｃｉａｔｅｄ  ＬＰＰａ  Ｔｒａｎｓｐｏｒｔ」には、Ｅ−ＳＭＬＣ４０からＭＭＥ３０に「Ｃｏｎｎｅｃｔｉｏｎｌｅｓｓ  Ｉｎｆｏｒｍａｔｉｏｎ  Ｍｅｓｓａｇｅ」によって伝送された、ｅＮＢ情報送信要求が設定されたＬＰＰａメッセージが含まれる。この場合、ｅＮＢ２０を識別する「Ｇｌｏｂａｌ  ｅＮＢ  ＩＤ」を含んでもいい。
【００４０】
ｅＮＢ２０は、ＭＭＥ３０から受信したｅＮＢ情報送信要求に応じて、ｅＮＢ情報をＬＰＰａメッセージに設定する（ステップＳ１０９）。上述のように、ｅＮＢ情報には、ｅＮＢ２０のセル識別子、経度、緯度、チルト角、誤差半径などが含まれる。
【００４１】
ｅＮＢ２０は、ＭＭＥ３０から受信したｅＮＢ情報送信要求に応じて、ｅＮＢ情報をＭＭＥ３０に送信する（ステップＳ１１０）。例えば、ｅＮＢ２０は、「Ｕｐｌｉｎｋ  ｎｏｎ  ＵＥ  Ａｓｓｏｃｉａｔｅｄ  ＬＰＰａ  Ｔｒａｎｓｐｏｒｔ」を用いて、ＭＭＥ３０に対してｅＮＢ情報を送信してもよい。かかる場合、「Ｕｐｌｉｎｋ  ｎｏｎ  ＵＥ  Ａｓｓｏｃｉａｔｅｄ  ＬＰＰａ  Ｔｒａｎｓｐｏｒｔ」には、自局のｅＮＢ情報が設定されたＬＰＰａメッセージが含まれる。
【００４２】
ＭＭＥ３０は、ｅＮＢ２０から受信したｅＮＢ情報をＥ−ＳＭＬＣ４０に転送する（ステップＳ１１１）。例えば、ＭＭＥ３０は、「Ｃｏｎｎｅｃｔｉｏｎｌｅｓｓ  Ｉｎｆｏｒｍａｔｉｏｎ  ｍｅｓｓａｇｅ」を用いて、Ｅ−ＳＭＬＣ４０に対してｅＮＢ情報を転送してもよい。かかる場合、「Ｃｏｎｎｅｃｔｉｏｎｌｅｓｓ  Ｉｎｆｏｒｍａｔｉｏｎ  ｍｅｓｓａｇｅ」には、ｅＮＢ２０から受信した、ｅＮＢ情報が設定されたＬＰＰａメッセージが含まれる。
【００４３】
Ｅ−ＳＭＬＣ４０は、ＭＭＥ３０から送信されたｅＮＢ情報を取得し、取得したｅＮＢ情報を反映するようにｅＮＢ情報記憶部４１に記憶されたｅＮＢ情報を更新する（ステップＳ１１２）。
【００４４】
Ｅ−ＳＭＬＣ４０は、ｅＮＢ情報記憶部４１の更新処理が完了したことをＭＭＥ３０に通知する（ステップＳ１１３）。例えば、Ｅ−ＳＭＬＣ４０は、「ｅＮｏｄｅＢ  Ｃｏｎｆｉｇｕｒａｔｉｏｎ  Ｄａｔａ  Ｕｐｄａｔｅ  Ｃｏｍｐｌｅｔｅ」を用いて、更新処理の完了をＭＭＥ３０に通知してもよい。また、本信号は送信しなくてもよい。
【００４５】
図５は、設定内容が変更されたｅＮＢ２０からのｅＮＢ情報の取得動作を示すシーケンス図である。図５に示すように、ｅＮＢ２０のセル識別子、経度、緯度、チルト角、誤差半径などの設定内容が変更された場合、当該ｅＮＢ２０のセル識別子、経度、緯度、チルト角、誤差半径などの少なくとも一つを含むｅＮＢ情報が更新される（ステップＳ２０１）。
【００４６】
ｅＮＢ２０は、ＭＭＥ３０に対して、ｅＮＢ情報が更新されたことを通知するｅＮＢ情報更新通知を送信する（ステップＳ２０２）。例えば、ｅＮＢ２０は、「ｅＮｏｄｅＢ  Ｃｏｎｆｉｇｕｒａｔｉｏｎ  Ｕｐｄａｔｅ」を用いて、ＭＭＥ３０に対して上記ｅＮＢ情報更新通知を送信してもよい。かかる場合、「ｅＮｏｄｅＢ  Ｃｏｎｆｉｇｕｒａｔｉｏｎ  Ｕｐｄａｔｅ」には、ｅＮＢ２０を識別する「Ｇｌｏｂａｌ  ｅＮＢ  ＩＤ」と、ＬＣＳ関連情報更新有無ビットが含まれる。ここで、ＬＣＳ関連情報更新有無ビットとは、ｅＮＢ情報が更新されたことを示すビットである。例えば、ＬＣＳ関連情報更新有無ビットが「ＯＮ」に設定されている場合ｅＮＢ情報が更新されたことを示し、「ＯＦＦ」に設定されている場合ｅＮＢ情報が更新されていないことを示す。
【００４７】
ＭＭＥ３０は、ｅＮＢ２０におけるｅＮＢ情報の更新有無を判断する（ステップＳ２０３）。具体的には、ＭＭＥ３０は、ｅＮＢ２０からの「ｅＮｏｄｅＢ  Ｃｏｎｆｉｇｕｒａｔｉｏｎ  Ｕｐｄａｔｅ」に含まれるＬＣＳ関連情報更新有無ビットに基づいて、ｅＮＢ２０におけるｅＮＢ情報の更新有無を判断する。
【００４８】
ＭＭＥ３０は、ｅＮＢ２０に対して、「ｅＮｏｄｅＢ  Ｃｏｎｆｉｇｕｒａｔｉｏｎ  Ｕｐｄａｔｅ  Ａｃｋ」を送信する（ステップＳ２０４）。
【００４９】
ＭＭＥ３０は、ステップＳ２０３においてｅＮＢ２０におけるｅＮＢ情報の更新があったと判断された場合、Ｅ−ＳＭＬＣ４０に対して、ｅＮＢ２０から受信したｅＮＢ情報更新通知を転送する（ステップＳ２０５）。例えば、ｅＮＢ２０は、ｅＮＢ２０を識別する「Ｇｌｏｂａｌ  ｅＮＢ  ＩＤ」を含む「ｅＮｏｄｅＢ  Ｃｏｎｆｉｇｕｒａｔｉｏｎ  Ｄａｔａ  Ｕｐｄａｔｅ」を用いて、Ｅ−ＳＭＬＣ４０に対して上記ｅＮＢ情報更新通知を転送してもよい。
【００５０】
図５のステップＳ２０６乃至Ｓ２１３は、図４のステップＳ１０６乃至Ｓ１１３と同様であるため、説明を省略する。
【００５１】
＜作用・効果＞
第１の実施形態に係る移動通信システムによれば、Ｅ−ＳＭＬＣ４０は、新たに設置された或いは設定内容が変更されたｅＮＢ２０から容易にｅＮＢ情報を取得でき、取得したｅＮＢ情報に基づいてｅＮＢ情報記憶部４１に記憶されたｅＮＢ情報を更新できる。したがって、Ｅ−ＳＭＬＣ４０は、ｅＮＢ情報記憶部４１に記憶されるｅＮＢ情報を最新に保つことができ、かかるｅＮＢ情報に基づいて行われるＵＥ１０のセルベースの測位処理をより正確に行うことができる。
【００５２】
［変更例１］
次に、第１の実施形態の変更例１について説明する。変更例１では、ＵＥ１０の測位時に、ｅＮＢ情報の取得処理を行う例について、第１の実施形態との相違点を中心に説明する。図６は、変更例１に係るｅＮＢ情報の取得動作を示すシーケンス図である。
【００５３】
図６に示すように、ｅＮＢ２０の新規設置又は設定内容の変更により、ｅＮＢ２０において、ｅＮＢ情報が新たに設定或いは更新される（ステップＳ３０１）。
【００５４】
Ｅ−ＳＭＬＣ４０は、ＵＥ１０又はネットワーク側装置（例えば、図１のＬＣＳクライアント６０やｅＮＢ２０など)のいずれかで測位イベントが発生した場合、ＵＥ１０の測位手順を開始する（ステップＳ３０２）。
【００５５】
Ｅ−ＳＭＬＣ４０は、ＵＥ１０の測位手順において、ＭＭＥ３０に対して、「Ｃｏｎｎｅｃｔｉｏｎ  Ｏｒｉｅｎｔｅｄ  Ｉｎｆｏｒｍａｔｉｏｎ  ｍｅｓｓａｇｅ」を送信する（ステップＳ３０３）。かかる「Ｃｏｎｎｅｃｔｉｏｎ  Ｏｒｉｅｎｔｅｄ  Ｉｎｆｏｒｍａｔｉｏｎ  ｍｅｓｓａｇｅ」には、測位関連信号である「Ｅ−ＣＩＤ  ＭＥＡＳＵＲＥＭＥＮＴ  ＩＮＩＴＩＡＴＩＯＮ  ＲＥＱＵＥＳＴ」が設定されたＬＰＰａデータが含まれる。なお、「Ｅ−ＣＩＤ  ＭＥＡＳＵＲＥＭＥＮＴ  ＩＮＩＴＩＡＴＩＯＮ  ＲＥＱＵＥＳＴ」は、Ｅ−ＳＭＬＣ４０がセルベースの測位処理を行う場合に、ｅＮＢ２０に対して位置情報を演算するために必要となる情報を要求するものである。例えば、Ｅ−ＳＭＬＣ４０は、サービングセルやネイバーセルを識別するＩＤ、サービングセルやネイバーセルのＲＳＲＰ及びＲＳＲＱ、ＵＥ１０とｅＮＢ２０とのＲＴＴを算出するために用いられ、サービングセルにおける送信と受信とのタイム差を示すＲｘ-Ｔｘ  Ｔｉｍｅ  Ｄｉｆｆｅｒｅｎｃｅ情報などを、ｅＮＢ２０に対して要求する。
【００５６】
ＭＭＥ３０は、ＵＥ１０の測位手順において、ｅＮＢ２０に対して、Ｓ１ＡＰ信号「ＤＯＷＮＬＩＮＫ  ＵＥ  ＡＳＳＯＣＩＡＴＥＤ  ＬＰＰＡ  ＴＲＡＮＳＰＯＲＴ」を送信する（ステップＳ３０４）。かかる「ＤＯＷＮＬＩＮＫ  ＵＥ  ＡＳＳＯＣＩＡＴＥＤ  ＬＰＰＡ  ＴＲＡＮＳＰＯＲＴ」には、Ｅ−ＳＭＬＣ４０からの「Ｅ−ＣＩＤ  ＭＥＡＳＵＲＥＭＥＮＴ  ＩＮＩＴＩＡＴＩＯＮ  ＲＥＱＵＥＳＴ」が設定されたＬＰＰａメッセージが含まれる。
【００５７】
ｅＮＢ２０は、ＭＭＥ３０からの「Ｅ−ＣＩＤ  ＭＥＡＳＵＲＥＭＥＮＴ  ＩＮＩＴＩＡＴＩＯＮ  ＲＥＱＵＥＳＴ」に応じて、ｅＮＢ情報が設定又は更新されたか否かを判断する（ステップＳ３０５）。
【００５８】
本シーケンス図においては、ｅＮＢ２０においてｅＮＢ情報が新たに設定又は更新されているので（ステップＳ３０１）、ｅＮＢ２０は、設定又は更新されたｅＮＢ情報をＬＰＰａメッセージに設定する。また、ｅＮＢ２０は、ＭＭＥ３０からの「Ｅ−ＣＩＤ  ＭＥＡＳＵＲＥＭＥＮＴ  ＩＮＩＴＩＡＴＩＯＮ  ＲＥＱＵＥＳＴ」に対する応答信号である「Ｅ−ＣＩＤ  ＭＥＡＳＵＲＥＭＥＮＴ  ＩＮＩＴＩＡＴＩＯＮ  ＲＥＳＰＯＮＳＥ」をＬＰＰａメッセージに設定する。ｅＮＢ２０は、設定又は更新されたｅＮＢ情報と「Ｅ−ＣＩＤ  ＭＥＡＳＵＲＥＭＥＮＴ  ＩＮＩＴＩＡＴＩＯＮ  ＲＥＳＰＯＮＳＥ」とが設定されたＬＰＰａメッセージを含むＳ１ＡＰ信号「ＵＰＬＩＮＫ  ＵＥ  ＡＳＳＯＣＩＡＴＥＤ  ＬＰＰＡ  ＴＲＡＮＳＰＯＲＴ」をＭＭＥ３０に送信する（ステップＳ３０６）。
【００５９】
ＭＭＥ３０は、ｅＮＢ２０からの上記Ｓ１ＡＰ信号に応じて、Ｅ−ＳＭＬＣ４０に対して、「Ｃｏｎｎｅｃｔｉｏｎ  Ｏｒｉｅｎｔｅｄ  Ｉｎｆｏｒｍａｔｉｏｎ  ｍｅｓｓａｇｅ」を送信する（ステップＳ３０７）。かかる「Ｃｏｎｎｅｃｔｉｏｎ  Ｏｒｉｅｎｔｅｄ  Ｉｎｆｏｒｍａｔｉｏｎ  ｍｅｓｓａｇｅ」には、ｅＮＢ２０からのｅＮＢ情報と「Ｅ−ＣＩＤ  ＭＥＡＳＵＲＥＭＥＮＴ  ＩＮＩＴＩＡＴＩＯＮ  ＲＥＳＰＯＮＳＥ」とが設定されたＬＰＰａメッセージが含まれる。
【００６０】
Ｅ−ＳＭＬＣ４０は、ＭＭＥ３０から送信されたｅＮＢ情報を取得し、取得したｅＮＢ情報に基づいて、ｅＮＢ情報記憶部４１に記憶されたｅＮＢ情報を更新する（ステップＳ３０８）。このように、Ｅ−ＳＭＬＣ４０が、ＵＥ１０の測位手順において、新たに設置又は設定内容が変更されたｅＮＢ２０からｅＮＢ情報を取得することにより、ｅＮＢ情報の取得に係る信号数を低減することができる。
【００６１】
［変更例２］
次に、第１の実施形態の変更例２について説明する。変更例２では、ＵＥ１０の測位時に、ｅＮＢ情報の取得処理を行う他の例について、変更例１との相違点を中心に説明する。図７は、変更例２に係るｅＮＢ情報の取得動作を示すシーケンス図である。なお、図７のステップＳ４０１乃至Ｓ４０５は、図６のステップＳ３０１乃至Ｓ３０５と同様であるため、説明を省略する。
【００６２】
図７では、ｅＮＢ情報が新たに設定又は更新されているので（ステップＳ４０１）、ｅＮＢ２０は、ｅＮＢ情報が新たに設定又は更新されたことを示すｅＮＢ情報更新通知をＬＰＰａメッセージに設定する。ｅＮＢ２０は、ｅＮＢ情報更新通知と「Ｅ−ＣＩＤ  ＭＥＡＳＵＲＥＭＥＮＴ  ＩＮＩＴＩＡＴＩＯＮ  ＲＥＳＰＯＮＳＥ」とが設定されたＬＰＰａメッセージを含むＳ１ＡＰ信号「ＵＰＬＩＮＫ  ＵＥ  ＡＳＳＯＣＩＡＴＥＤ  ＬＰＰＡ  ＴＲＡＮＳＰＯＲＴ」をＭＭＥ３０に送信する（ステップＳ４０６）。
【００６３】
ＭＭＥ３０は、ｅＮＢ２０からの上記Ｓ１ＡＰ信号に応じて、Ｅ−ＳＭＬＣ４０に対して、「Ｃｏｎｎｅｃｔｉｏｎ  Ｏｒｉｅｎｔｅｄ  Ｉｎｆｏｒｍａｔｉｏｎ  ｍｅｓｓａｇｅ」を送信する（ステップＳ４０７）。かかる「Ｃｏｎｎｅｃｔｉｏｎ  Ｏｒｉｅｎｔｅｄ  Ｉｎｆｏｒｍａｔｉｏｎ  ｍｅｓｓａｇｅ」には、ｅＮＢ２０からのｅＮＢ情報更新通知と「Ｅ−ＣＩＤ  ＭＥＡＳＵＲＥＭＥＮＴ  ＩＮＩＴＩＡＴＩＯＮ  ＲＥＳＰＯＮＳＥ」とが設定されたＬＰＰａデータが含まれる。
【００６４】
Ｅ−ＳＭＬＣ４０は、ＭＭＥ３０からのｅＮＢ情報更新通知に応じて、ｅＮＢ２０のｅＮＢ情報の取得処理を行う（ステップＳ４０８）。具体的には、図４のステップＳ１０６乃至Ｓ１１３及び図５のステップＳ２０６乃至Ｓ２１３と同様の処理が行われる。このように、Ｅ−ＳＭＬＣ４０が、ＵＥ１０の測位手順において、新たに設置又は設定内容が変更されたｅＮＢ２０からｅＮＢ情報を取得することにより、ｅＮＢ情報の取得に係る信号数を低減することができる。
【００６５】
［第２の実施形態］
第１の実施形態では、ｅＮＢ２０がＥ−ＳＭＬＣ４０の識別情報を保持していない場合に、Ｅ−ＳＭＬＣ４０が、新たに設置された又は設定内容が変更されたｅＮＢ２０からｅＮＢ情報を取得する場合について説明した。第２の実施形態では、ｅＮＢ２０が予めＥ−ＳＭＬＣ４０の識別情報を通知され、保持している場合に、Ｅ−ＳＭＬＣ４０が、新たに設置された又は設定内容が変更されたｅＮＢ２０からｅＮＢ情報を取得する場合について説明する。図８乃至図１０を参照し、第２の実施形態に係る移動通信システムにおけるｅＮＢ情報の取得動作について説明する。
【００６６】
図８は、第２の実施形態に係るｅＮＢ情報の取得動作を示す概略図である。図８に示すように、第２の実施形態では、ｅＮＢ２０がＥ−ＳＭＬＣ４０の識別情報である「Ｅ−ＳＭＬＣ  ＩＤ」（測位装置識別情報）を予め通知され、保持している。なお、Ｅ−ＳＭＬＣ４０の識別情報は、例えば、ｅＮＢ２０は更新情報を通知すべき時点までに、測位要求信号を受信したＥ−ＳＭＬＣ４０を記憶しておくことでもよい。このため、第２の実施形態では、第１の実施形態のようにＭＭＥ３０によって指定されるＥ−ＳＭＬＣ４０ではなく、ｅＮＢ２０が、自らＥ−ＳＭＬＣ４０を指定して、ｅＮＢ情報更新通知やｅＮＢ情報を送信することができる。
【００６７】
図９は、第２の実施形態に係るｅＮＢ情報の第１の取得動作を示すシーケンス図である。図９に示すように、ｅＮＢ２０の新規設置又は設定内容の変更により、ｅＮＢ２０において、ｅＮＢ情報が新たに設定或いは更新される（ステップＳ５０１）。
【００６８】
ｅＮＢ２０は、予め保持する「Ｅ−ＳＭＬＣ  ＩＤ」によって識別されるＥ−ＳＭＬＣ４０に対して、ｅＮＢ情報更新通知を送信する（ステップＳ５０２、Ｓ５０３）。例えば、図９では、ｅＮＢ２０は、ＬＰＰａメッセージである「ｅＮｏｄｅＢ  Ｃｏｎｆｉｇｕｒａｔｉｏｎ  Ｄａｔａ  Ｕｐｄａｔｅ  Ｎｏｔｉｆｙ」により、上記ｅＮＢ情報更新通知を送信する。なお、「ｅＮｏｄｅＢ  Ｃｏｎｆｉｇｕｒａｔｉｏｎ  Ｄａｔａ  Ｕｐｄａｔｅ  Ｎｏｔｉｆｙ」には、ｅＮＢ２０を識別する「Ｇｌｏｂａｌ  ｅＮＢ  ＩＤ」が含まれる。ｅＮＢ情報更新通知としてＬＰＰaメッセージである「ｅＮｏｄｅＢ  Ｃｏｎｆｉｇｕｒａｔｉｏｎ  Ｄａｔａ  Ｕｐｄａｔｅ  Ｎｏｔｉｆｙ」に設定される場合、ｅＮＢ２０は、当該ＬＰＰａメッセージと、宛先となるＥ−ＳＭＬＣ４０の「Ｅ−ＳＭＬＣ  ＩＤ」とを含む「Ｕｐｌｉｎｋ  ｎｏｎ  ＵＥ  ａｓｓｏｃｉａｔｅｄ  ＬＰＰａ  Ｔｒａｎｓｐｏｒｔ」をＭＭＥ３０に送信する。また、ＭＭＥ３０は、ｅＮＢ２０からの上記ＬＰＰａデータを含む「Ｃｏｎｎｅｃｔｉｏｎｌｅｓｓ  Ｉｎｆｏｒｍａｔｉｏｎ  ｍｅｓｓａｇｅ」をＥ−ＳＭＬＣ４０に送信する。
【００６９】
図９のステップＳ５０４乃至Ｓ５１０は、図４のステップＳ１０６乃至Ｓ１１２及び図５のステップＳ２０６乃至Ｓ２１２と同様の処理であるため、説明を省略する。
【００７０】
図１０は、第２の実施形態に係るｅＮＢ情報の第２の取得動作を示すシーケンス図である。図１０に示すように、ｅＮＢ２０の新規設置又は設定内容の変更により、ｅＮＢ２０において、ｅＮＢ情報が新たに設定或いは更新される（ステップＳ６０１）。
【００７１】
ｅＮＢ２０は、予め保持する「Ｅ−ＳＭＬＣ  ＩＤ」によって識別されるＥ−ＳＭＬＣ４０に対して、ｅＮＢ情報を送信する（ステップＳ６０２、Ｓ６０３）。例えば、図１０では、ｅＮＢ２０は、ＬＰＰａメッセージである「ｅＮｏｄｅＢ  Ｃｏｎｆｉｇｕｒａｔｉｏｎ  Ｄａｔａ  Ｕｐｄａｔｅ  Ｎｏｔｉｆｙ」にｅＮＢ情報を設定して送信する。ｅＮＢ情報が設定されたＬＰＰａメッセージである「ｅＮｏｄｅＢ  Ｃｏｎｆｉｇｕｒａｔｉｏｎ  Ｄａｔａ  Ｕｐｄａｔｅ  Ｎｏｔｉｆｙ」が送信される場合、ｅＮＢ２０は、当該ＬＰＰａメッセージと、宛先となるＥ−ＳＭＬＣ４０を識別する「Ｅ−ＳＭＬＣ  ＩＤ」とを含む「Ｕｐｌｉｎｋ  ｎｏｎ  ＵＥ  ａｓｓｏｃｉａｔｅｄ  ＬＰＰａ  Ｔｒａｎｓｐｏｒｔ」をＭＭＥ３０に送信する。また、ＭＭＥ３０は、ｅＮＢ２０からの上記ＬＰＰａメッセージを含む「Ｃｏｎｎｅｃｔｉｏｎｌｅｓｓ  Ｉｎｆｏｒｍａｔｉｏｎ  ｍｅｓｓａｇｅ」をＥ−ＳＭＬＣ４０に送信する。
【００７２】
Ｅ−ＳＭＬＣ４０は、ＬＰＰａメッセージである「ｅＮｏｄｅＢ  Ｃｏｎｆｉｇｕｒａｔｉｏｎ  Ｄａｔａ  Ｕｐｄａｔｅ  Ｎｏｔｉｆｙ」に設定されたｅＮＢ情報に基づいて、ｅＮＢ情報記憶部４１に記憶されたｅＮＢ情報を更新する（ステップＳ６０４）。
【００７３】
Ｅ−ＳＭＬＣ４０は、ｅＮＢ情報記憶部４１を更新したことをｅＮＢ２０に対して通知する（ステップＳ６０５、Ｓ６０６）。例えば、Ｅ−ＳＭＬＣ４０は、かかる通知を「ｅＮＢ  Ｃｏｎｆｉｇｕｒａｔｉｏｎ  Ｄａｔａ  Ｕｐｄａｔｅ  Ｃｏｎｆｉｒｍ」を用いて送信する。具体的には、Ｅ−ＳＭＬＣ４０は、ＬＰＰａメッセージである「ｅＮＢ  Ｃｏｎｆｉｇｕｒａｔｉｏｎ  Ｄａｔａ  Ｕｐｄａｔｅ  Ｃｏｎｆｉｒｍ」を含む「Ｃｏｎｎｅｃｔｉｏｎｌｅｓｓ  Ｉｎｆｏｒｍａｔｉｏｎ  Ｍｅｓｓａｇｅ」をＭＭＥ３０に送信する。また、ＭＭＥ３０は、Ｅ−ＳＭＬＣから受信したＬＰＰａメッセージを含む「Ｄｏｗｎｌｉｎｋ  ｎｏｎ  ＵＥ  ａｓｓｏｃｉａｔｅｄ  ＬＰＰａ  Ｔｒａｎｓｐｏｒｔ」をｅＮＢ２０に送信する。
【００７４】
[その他の実施形態]
上述の実施形態を用いて本発明について詳細に説明したが、当業者にとっては、本発明が本明細書中に説明した実施形態に限定されるものではないということは明らかである。以上のように、本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７５】
１０…ＵＥ、２０…ｅＮＢ、３０…ＭＭＥ、４０…Ｅ−ＳＭＬＣ、５０…ＧＭＬＣ、６０…ＬＣＳクライアント、４１…ｅＮＢ情報記憶部、４２…ｅＮＢ情報取得部、４３…ｅＮＢ情報更新部、４４…測位処理部、４５…送受信部
【図１】
0005405409.tif 000002
【図２】
0005405409.tif 000003
【図３】
0005405409.tif 000004
【図４】
0005405409.tif 000005
【図５】
0005405409.tif 000006
【図６】
0005405409.tif 000007
【図７】
0005405409.tif 000008
【図８】
0005405409.tif 000009
【図９】
0005405409.tif 000010
【図１０】
0005405409.tif 000011